(57)【特許請求の範囲】
【請求項１】
複数桁の表示部を有する計測値表示部と、
最大桁数が設定される第１の記憶手段と、
前記最大桁数に対応した限界値が設定される第２の記憶手段と、
被測定対象についての信号を入力して計測し、その計測値が前記限界値と一致するまではその計測値を前記計測値表示部にそのまま表示させ、その計測値が前記限界値を越えた場合にはその計測値を所定値に置き換えて、それを前記計測値表示部に表示させ、そして、前記計測表示部の内、設定された前記最大桁数を越えた桁の表示部分にはブランク表示させる演算手段と
を有することを特徴とする計測装置。
【請求項２】
複数桁の表示部を有する計測値表示部と、
複数桁の表示部を有する設定値表示部と、
設定値を入力するキー部と、
最大桁数が設定される第１の記憶手段と、
前記最大桁数に対応した限界値が設定される第２の記憶手段と、
被測定対象についての信号を入力して計測し、その計測が前記限界値と一致するまではその計測値を前記計測値表示部にそのまま表示させ、その計測値が前記限界値を越えた場合にはその計測値を所定値に置き換えて、それを前記計測値表示部に表示させ、また、前記キー部による入力の内、前記最大桁数の範囲において、その入力を設定値として取り込んで前記設定値表示部に表示させ、そして、前記計測値表示部及び前記設定値表示部の内、設定された前記最大桁数を越える表示部分にはブランク表示させる演算手段と
を有することを特徴とする計測装置。
【発明の詳細な説明】
【０００１】
【発明の属する技術分野】
本発明は例えば入力パルスを計数するカウンタ等の計測装置、特にその計測値及び設定値の表示に関するものである。
【０００２】
【従来の技術】
従来の例えばカウンタはその計数桁及び表示桁が固定されていた。例えば４桁カウンタの場合ついてみると、その計数値表示部及び設定値表示部はそれぞれ４桁に設定されている。
【０００３】
【発明が解決しようとする課題】
このため、カウンタの仕様よりも小さな桁数で使用する場合においても、ユーザにとって不要な桁の計測情報まで表示され、且つ不要な桁の設定も行えてしまい、煩雑であった。このため、自分の機械にマッチした桁数のカウンタの設置が望まれていた。このようなことから、メーカー側においては、そのような要望に応えるために、各桁数（１桁、２桁、３桁、４桁、６桁など）の専用カウンタを製品のバリエーションとして準備していたが、型番数が多くなるため、生産効率が悪く、在庫も余計に持たなくてはならならず、このことが、結果としてコストが高くなる原因の一つとなっていた。また、ユーザー側においても、保守品が多型番となる為、在庫が余計に必要になると、いう問題点があった。
【０００４】
本発明は、このような問題点を解決するためになされたものであり、桁数を任意に設定することができるようにした計測装置を提供することを目的とする。
【０００５】
【課題を解決するための手段】
本発明の一つの態様に係る計測装置は、複数桁の表示部を有する計測値表示部と、最大桁数が設定される第１の記憶手段と、最大桁数に対応した限界値が設定される第２の記憶手段と、被測定対象についての信号を入力して計測し、その計測値が限界値と一致するまではその計測値を計測値表示部にそのまま表示させ、その計測値が限界値を越えた場合にはその計測値を所定値に置き換えて、それを計測値表示部に表示させ、そして、計測表示部の内、設定された最大桁数を越えた桁の表示部分にはブランク表示させる演算手段とを有する。
本発明の他の態様に係る計測装置は、複数桁の表示部を有する計測値表示部と、複数桁の表示部を有する設定値表示部と、設定値を入力するキー部と、最大桁数が設定される第１の記憶手段と、最大桁数に対応した限界値が設定される第２の記憶手段と、被測定対象についての信号を入力して計測し、その計測が限界値と一致するまではその計測値を計測値表示部にそのまま表示させ、その計測値が前記限界値を越えた場合にはその計測値を所定値に置き換えて、それを計測値表示部に表示させ、また、キー部による入力の内、最大桁数の範囲において、その入力を設定値として取り込んで設定値表示部に表示させ、そして、計測値表示部及び設定値表示部の内、設定された最大桁数を越える表示部分にはブランク表示させる演算手段とを有する。
【０００６】
本発明においては、最大桁数が設定され、その最大桁数に対応した限界値が設定されると、計測値表示部にはその最大桁数までが表示され、最大桁を越えた桁はブランク表示される。そして、計測値が限界値を越えると置き換えられて所定値になる。また、設定値表示部においてもその最大桁数までが表示され、最大桁を越えた桁はブランク表示される。従って、本発明においては、その計測装置の表示桁の桁数の範囲内において設定された桁数の表示装置を有するものとして扱うことができる。
【０００７】
【発明の実施の形態】
図１は本発明の実施の形態の一例に係るカウンタの構成を示すブロック図である。このカウンタは、図示のように、ＣＰＵ１０、ＲＯＭ１１、ＲＡＭ１２、Ｉ／Ｏポート１３、桁数設定手段１４、計数表示部１５、設定表示部１６及びキー部１７から構成されている。ＣＰＵ１０、ＲＯＭ１１、ＲＡＭ１２及びＩ／Ｏポート１３はカウンタの筐体内に内蔵され、桁数設定手段１４はカウンタの筐体内に取り付けられた設定用スイッチ又はソフトウエアスイッチにより実現される。計数値表示部１５、設定値表示部１６及びキー部１７はカウンタの筐体の正面に配置される。
【０００８】
図２は計数値表示部１５、設定値表示部１６及びキー部１７の配置例を示す説明図であり、同図（ａ）は桁数設定手段１４により４桁に設定された状態、同図（ｂ）は２桁に設定された状態を示す説明図である。
【０００９】
次に、図１のカウンタの動作を図３〜図６を参照しながら説明する。
図３は電源投入時の初期設定の動作を示すフローチャートである。電源が投入されると、ＣＰＵ１０は桁数設定手段１４により設定された内容を読み出して、それをＲＡＭ１２の例えばＳＷメモリ１２ａに書き込む。そして、設定桁数別の限界値をＲＡＭ１２にセットする。例えば４桁の場合には「９９９９」、３桁の場合には「９９９」、２桁の場合には「９９」、１桁の場合には「９」となる。
【００１０】
図４は計数割り込み時における処理を示すフローチャートである。Ｉ／Ｏポート１３を介してパルス信号が入力されると、ＣＰＵ１０は現在の計数値＋１としてそれを計数後の計数値としてＲＡＭ１２に格納する。そして、その計数値が先に設定された限界値を越えているかどうかを判断し、越えている場合にはその計数値を所定値「０」にセットする。例えば４桁の場合には計数値が限界値「９９９９」を越えて「１００００」となった場合にはそれを所定値「０」に書き換える。
【００１１】
図５はキー部１７の操作時における処理を示すフローチャートであり、この処理は所定の周期毎に行われる。まず、キー入力があるかどうかを判断し、キー入力があった場合にはそれが有効桁のキーであるかどうかを判断する。例えばＳＷメモリ１２ａに４桁として書き込まれていれば、キー部１７の４桁のキーが有効となる。キー部１７の１桁目から４桁目までのキーが押されると、その桁に応じてその設定値を更新する。例えば４桁目のキーが押されると「＋１０００」、３桁目のキーが押されると「＋１００」、２桁目のキーが押されると「＋１０」、１桁目のキーが押されると「＋１」、という具合に各桁の設定値が更新される。
【００１２】
図６は設定値表示部１６の表示処理を示すフローチャートである。設定値表示部１６においては設定桁数別に表示を更新する。設定値表示部１６が４桁まで表示できる構成になっている場合には、その設定桁数に応じて次のように処理される。
４桁：１桁〜４桁の全てを表示する。
３桁：１桁〜３桁を表示し、４桁をブランク表示する。
２桁：１桁及び２桁を表示し、３桁及び４桁をブランク表示する。
１桁：１桁を表示し、２桁〜４桁をブランク表示する。
なお、上記の説明は設定値表示部１６についての説明であるが、計数値表示部１５においても同様にして処理されて表示する。
【００１３】
なお、上記の実施の形態においては、計数値が増加する場合の動作について説明しているが、他の例として、計数値が減少するカウンタもある。このカウンタの場合には、例えば桁数が４桁に設定されているときに、限界値を「０」、所定値を「９９９９」に設定しておくと、計数値が、…４→３→２→１→０となり、減算パルスにより計数値割込が処理されると、計数値は一旦「−１」になるが、限界値「０」を超えているために所定値「９９９９」に設定される。この結果、計数値は図７（ａ）に示されるような表示を行なうようになる。
【００１４】
更に他の例として、計数値が最大表示可能値を超えた後は最大表示可能値の表示を維持させることもできる（加算カウンタの場合）。例えば桁数が４桁に設定されている場合に、計数値が増加し、…９９９８→９９９９となったとき（「９９９９」は４桁の場合の最大表示可能値）には、その後に加算パルス信号が入力されても「９９９９」の表示を維持させることができる。この場合には、限界値を「９９９９」、所定値を「９９９９」としておくと図４にて計数値割込みが入り、今までの計数値「９９９９」が新計数値として「１００００」となっても、限界値「９９９９」を越えるために新計数値には所定値「９９９９」が設定されるために、「９９９９」の表示が維持される。この結果、計数値は図７（ｂ）に示されるような表示を行なうようになる。
【００１５】
更にもう一つの例として、計数値を減算して、最小表示可能値を越えた後は最小表示可能値の表示を維持させることもできる（減算カウンタの場合）。この場合には、限界値を「−９９９９」、所定値を「−９９９９」としておくことにより、上記の例と同じように「−９９９９」の表示を維持させることができる。この結果、計数値は図７（ｃ）に示されるような表示を行なうようになる。
【００１６】
なお、上述の実施の形態においてはカウンタの例について説明したが、本発明はカウンタ以外のデバイス、例えばタイマ、回転計等の桁表示をするデバイスにも同様に適用することができる。
【００１７】
【発明の効果】
以上のように本発明によれば、最大桁数が設定され、その最大桁数に対応した限界値が設定されると、計測値表示部にはその最大桁数までが表示され、最大桁を越えた桁はブランク表示され、計測値が限界値になると所定値になるようにし、また、設定値表示部においてもその最大桁数までが表示され、最大桁を越えた桁はブランク表示されるようにしたので、その計測装置の表示桁の桁数の範囲内において設定された桁数の表示装置を有するものとして扱うことができる。
【図面の簡単な説明】
【図１】本発明の実地の形態の一例に係るカウンタの構成を示すブロック図である。
【図２】図１の計数表示部、設定表示部及びキー部の配置例を示す説明図である。
【図３】図１のカウンタの電源投入時の初期設定の動作を示すフローチャートである。
【図４】図１のカウンタの計数割り込み時における処理を示すフローチャートである。
【図５】図１のキー部の操作時における処理を示すフローチャートである。
【図６】図１の設定値表示部の表示処理を示すフローチャートである。
【図７】本発明の実地の形態の他の例に係る表示例を示す説明図である。
【図１】
0003548925.tif 000002
【図２】
0003548925.tif 000003
【図３】
0003548925.tif 000004
【図４】
0003548925.tif 000005
【図５】
0003548925.tif 000006
【図６】
0003548925.tif 000007
【図７】
0003548925.tif 000008